(57)【要約】【課題】様々な場所において、番組から身近な目的地の候補を生成することが可能な技術を提供することを目的とする。【解決手段】ナビゲーション装置は、放送波の受信信号から目的地の候補を生成する機能を備えたナビゲーション装置であって、目的地候補生成のためのキーワードデータを記憶するキーワードデータ部５と、処理部６と、目的地検索処理部１１とを備える。処理部６は、キーワードデータに基づいて番組の受信信号に含まれる番組内キーワードを抽出する。目的地検索処理部１１は、番組内キーワードに基づいて現在地付近に存在する番組内キーワードに対応する施設を目的地候補として生成する。【選択図】図１
2013003087.tif 000002
【特許請求の範囲】
【請求項１】
放送波の受信信号から目的地の候補を生成する機能を備えたナビゲーション装置であって、
目的地候補生成のためのキーワードデータを記憶するキーワードデータ部と、
前記キーワードデータに基づいて、番組の受信信号に含まれる番組内キーワードを抽出する処理部と、
前記番組内キーワードに基づいて、現在地付近に存在する前記番組内キーワードに対応する施設を目的地候補として生成する目的地検索処理部と
を備える、ナビゲーション装置。
【請求項２】
請求項１に記載のナビゲーション装置であって、
前記処理部は、
前記番組の受信信号に含まれる言語情報を抽出して、前記番組内キーワードの抽出処理に供する認識部を備える、ナビゲーション装置。
【請求項３】
請求項１または請求項２に記載のナビゲーション装置であって、
前記キーワードデータは、少なくとも１階層が目的階層として規定される、階層に分類された複数のキーワードを含み、
前記処理部は、
前記番組内キーワードから前記階層に基づき、前記目的階層のキーワードを特定キーワードとして特定する認識情報処理部を備え、
前記目的地検索処理部は、前記認識情報処理部で前記番組内キーワードに基づいて特定された前記特定キーワードに基づいて、前記目的地候補を生成する、ナビゲーション装置。
【請求項４】
請求項３に記載のナビゲーション装置であって、
前記番組の識別情報と前記特定キーワードとを対応させて記憶する記憶部と、
操作部と
をさらに備え、
前記目的地検索処理部は、前記操作部により指定された前記番組に対応する前記記憶部の前記特定キーワードに基づいて、前記目的地候補を生成する、ナビゲーション装置。
【請求項５】
請求項１乃至請求項３のいずれかに記載のナビゲーション装置であって、
操作部と、表示部と、時刻を検出する現在時刻検出部と
をさらに備え、
前記目的地検索処理部は、
前記操作部が所定の操作を受け付けた際の前記時刻に基づいて、前記表示部に表示する前記施設の優先順位を変更する、ナビゲーション装置。
【請求項６】
請求項３に記載のナビゲーション装置であって、
表示部をさらに備え、
前記処理部は、前記特定キーワードが特定された回数を、前記特定キーワードごとにカウントし、
前記目的地検索処理部は、
前記回数に基づいて、前記表示部に表示する前記施設の優先順位を変更する、ナビゲーション装置。
【発明の詳細な説明】
【技術分野】
【０００１】
本発明は、ナビゲーション装置に関するものであり、特に、放送波の受信信号から目的地の候補を生成する機能を備えたナビゲーション装置に関するものである。
【背景技術】
【０００２】
ユーザを目的地に誘導するナビゲーション装置には、ラジオやＴＶの放送波を受けて、番組の音声などを出力するものがある。このような装置のユーザは、番組を視聴している場合に、そこで紹介された施設を目的地としたいと思うことがある。しかし、これを実現しようとすると、ユーザは、その施設の住所、郵便番号、電話番号、名称などの情報を、覚える、書き留める、写真で撮るなどの作業に加えて、当該情報を目的地として装置に設定する作業を行わなければならず、手間がかかるものとなっていた。
【０００３】
そこで、このような手間を低減することができるように、特許文献１に開示の技術では、番組の放送波から、番組内で放送された言語情報を取得し、それを目的地の候補として自動生成している。
【先行技術文献】
【特許文献】
【０００４】
【特許文献１】特開２００６−３２５９号公報
【発明の概要】
【発明が解決しようとする課題】
【０００５】
しかしながら、例えば、言語情報の取得対象とする番組が全国ネットの番組である場合には、そこで紹介される施設のほとんどが大都市であることから、地方で装置を使用するユーザにとっては、自動生成された目的地候補をほとんど利用することができないと考えられる。
【０００６】
そこで、本発明は、上記のような問題点を鑑みてなされたものであり、様々な場所において、番組から身近な目的地の候補を生成することが可能な技術を提供することを目的とする。
【課題を解決するための手段】
【０００７】
本発明に係るナビゲーション装置は、放送波の受信信号から目的地の候補を生成する機能を備えたナビゲーション装置であって、目的地候補生成のためのキーワードデータを記憶するキーワードデータ部と、前記キーワードデータに基づいて、番組の受信信号に含まれる番組内キーワードを抽出する処理部と、前記番組内キーワードに基づいて現在地付近に存在する前記番組内キーワードに対応する施設を目的地候補として生成する目的地検索処理部とを備える。
【発明の効果】
【０００８】
本発明によれば、現在地付近に存在する番組内キーワードに対応する施設を目的地候補として生成する。したがって、装置が大都市にあるか、地方にあるかにかかわらず、様々な場所において、番組から身近な目的地候補を生成することができる。
【図面の簡単な説明】
【０００９】
【図１】実施の形態に係るカーナビゲーション装置の構成を示すブロック図である。
【図２】実施の形態に係るカーナビゲーション装置が記憶している情報を示す図である。
【図３】実施の形態に係るカーナビゲーション装置が記憶している情報を示す図である。
【図４】実施の形態に係るカーナビゲーション装置が記憶している情報を示す図である。
【図５】実施の形態に係るカーナビゲーション装置の動作を示すフローチャートである。
【図６】実施の形態に係るカーナビゲーション装置の動作を示す図である。
【図７】実施の形態に係るカーナビゲーション装置の動作を示す図である。
【図８】実施の形態に係るカーナビゲーション装置の動作を示す図である。
【図９】実施の形態に係るカーナビゲーション装置の動作を示すフローチャートである。
【図１０】実施の形態に係るカーナビゲーション装置の動作を示す図である。
【図１１】実施の形態に係るカーナビゲーション装置の動作を示す図である。
【発明を実施するための形態】
【００１０】
＜実施の形態＞
本発明に係るナビゲーション装置は、カーナビゲーション装置であるものとして以下説明する。
【００１１】
図１は、本発明の実施の形態に係るカーナビゲーション装置の構成を示すブロック図である。図１に示すように、当該カーナビゲーション装置は、ラジオ放送受信部１と、ＴＶ放送受信部２と、スピーカーなどの音声出力部３と、ディスプレイなどの表示部４と、キーワードデータ部５と、処理部６と、記憶部７と、現在時刻検出部８と、現在位置検出部９と、地図データ部１０と、目的地検索処理部１１と、ユーザからの様々な操作を受け付ける操作部１２と、操作部１２が受け付けた操作などに基づいて各構成要素を統括的に制御する制御部１３とを備える。なお、ここでは、処理部６は、音声認識部２１と、画像認識部２２と、認識情報処理部２３とを備えている。
【００１２】
以上のような構成からなる本実施の形態に係るカーナビゲーション装置は、ラジオやＴＶの放送波の受信信号から目的地の候補を生成する機能を備えている。しかも、大都市、地方を問わず、様々な場所において、番組から身近な目的地候補を生成することが可能となっている。以下、このようなカーナビゲーション装置について詳細に説明する。
【００１３】
ラジオ放送受信部１は、操作部１２で指定されたラジオ番組について放送波を受信し、それに含まれる受信信号（音声信号）を取得する。ラジオ放送受信部１は、当該音声信号を音声出力部３及び音声認識部２１に出力する。
【００１４】
ＴＶ放送受信部２は、操作部１２で指定されたＴＶ番組について放送波を受信し、それに含まれる受信信号（音声信号及び映像信号）を取得する。ＴＶ放送受信部２は、当該音声信号を音声出力部３及び音声認識部２１に出力し、当該映像信号を表示部４及び画像認識部２２に出力する。
【００１５】
音声出力部３は、入力された音声信号に基づいて音声を出力する。これにより、ユーザが望むラジオ番組やＴＶ番組の音声が出力される。なお、本実施の形態では、音声出力部３は、制御部１３の制御により、ナビゲーションを行う際に用いられる音声情報なども出力可能となっている。
【００１６】
表示部４は、入力された映像信号に基づいて映像を表示する。これにより、ユーザが望むＴＶ番組の映像が表示される。なお、本実施の形態では、表示部４は、制御部１３の制御により、ナビゲーションを行う際に用いられる映像情報なども表示可能となっている。
【００１７】
キーワードデータ部５は、目的地候補生成のためのキーワードデータを記憶している。図２は、キーワードデータ部５に記憶されているキーワードデータの一例を示す図である。この図に示すように、本実施の形態でのキーワードデータは、大分類、中分類、小分類、施設という階層（ここでは４階層）に分類された複数のキーワードを含んでいる。なお、上位階層側（大分類側）の各キーワードは、対応する下位階層側（施設側）の複数のキーワードに共通する属性を示すものとなっており、ここでは、中分類は業種に対応し、小分類は料理名、商品名、設備名などに対応し、施設は店舗名などに対応している。また、少なくとも１階層が目的階層として規定されており、ここでは、業種に対応する中分類が目的階層として規定されているものとする。
【００１８】
図１に戻って、処理部６は、上述したように音声認識部２１、画像認識部２２及び認識情報処理部２３を備えており、当該処理部６は、キーワードデータに基づいて、番組の受信信号に含まれる番組内キーワードを抽出する。次に、この処理部６の各構成要素について説明する。
【００１９】
認識部である音声認識部２１は、ラジオ放送受信部１またはＴＶ放送受信部２からの番組の受信信号（音声信号）が示す音声を解析し、当該音声に含まれる言語情報を抽出して、認識情報処理部２３に出力する。後述するように、当該言語情報は、認識情報処理部２３にて番組内キーワードの抽出処理に用いられることから、音声認識部２１は、番組内キーワードの抽出処理に供するものとなっている。
【００２０】
認識部である画像認識部２２は、ＴＶ放送受信部２からの番組の受信信号（映像信号）が示す映像を解析し、当該映像に含まれる言語情報を抽出して、認識情報処理部２３に出力する。つまり、画像認識部２２は、番組内キーワードの抽出処理に供するものとなっている。
【００２１】
認識情報処理部２３は、音声認識部２１または画像認識部２２で抽出された言語情報（以下「抽出言語情報」と呼ぶこともある）と、キーワードデータ部５のキーワードデータとに基づいて、番組内キーワードを抽出する。ここでは、抽出言語情報が、図２に示す複数のキーワードのいずれかと一致する場合に、認識情報処理部２３は、当該抽出言語情報を番組内キーワードとする。
【００２２】
また、認識情報処理部２３は、番組内キーワードから、キーワードデータの階層に基づき、中分類のキーワードを特定キーワードとして特定する。詳細は後で説明するが、具体的には、認識情報処理部２３は、番組内キーワードが中分類（目的階層）のキーワードと一致する場合には、当該キーワードを特定キーワードとして特定し、番組内キーワードが中分類（目的階層）以外の階層キーワードと一致する場合には、当該キーワードに対応する中分類のキーワードを特定キーワードとして特定する。
【００２３】
また、認識情報処理部２３（処理部６）は、特定キーワードが特定された回数を、特定キーワードごとにカウントする。そして、認識情報処理部２３（処理部６）は、以上の番組内キーワード、特定キーワード及び回数を、番組の識別情報である番組名に関連付けて記憶部７に記憶する。
【００２４】
図３は、記憶部７に記憶されている情報の一例を示す図である。「番組名」、「放送日時」及び「ジャンル」には、例えば受信信号に含まれる、番組の名称、放送日時及びジャンルの情報がそれぞれ格納される。「番組内キーワード」には、認識情報処理部２３で抽出された番組内キーワードが格納される。「特定キーワード（中分類）」には、認識情報処理部２３で特定された特定キーワードが格納される。つまり、記憶部７には、番組名（番組の識別情報）と特定キーワードとが対応して記憶されている。「特定回数」には、認識情報処理部２３においてカウントされた回数が格納される。
【００２５】
図１に戻って、現在時刻検出部８は、例えばタイマーから構成され、現在時刻を検出する。
【００２６】
現在位置検出部９は、例えばＧＰＳ（Global Positioning System）、ヨーレートセンサ及び加速度センサから構成され、絶対座標（経度緯度）上における、カーナビゲーション装置の現在地を検出する。
【００２７】
地図データ部１０には、絶対座標が付加された地図データと、施設に関する情報（例えば、施設の名称、施設に対応する中分類のキーワード、地図上での施設の座標位置などの情報）とが記憶されている。
【００２８】
また、図４に示されるように、地図データ部１０は、「大分類」のキーワード、「中分類」のキーワード及び「時間帯」が互いに紐付けされた情報も記憶している。このうち、「時間帯」には、中分類のキーワードが目的地として設定される可能性が高い時間帯が設定されている。ただし、コンビニなど、時刻を問わずに１日中設定される可能性が高い業種については、「指定なし」が「時間帯」に設定されている。なお、この図４では、１つの中分類のキーワードに対して１つの時間帯が設定されているが、これに限ったものではなく、複数の時間帯が設定されるものであってもよい。
【００２９】
目的地検索処理部１１は、番組内キーワードに基づいて、現在地付近に存在する番組内キーワードに対応する施設を目的地候補として生成する。本実施の形態では、目的地検索処理部１１は、認識情報処理部２３で番組内キーワードに基づいて特定された特定キーワードに基づいて、目的地候補を生成する。
【００３０】
例えば、図３に示すように特定キーワードが記憶部７に記憶されている場合に、「番組ａ」が操作部１２にて指定されると、目的地検索処理部１１は、「番組ａ」に対応する「カレー屋」、「洋食」などの特定キーワードに基づいて、目的地候補を作成する。つまり、本実施の形態では、目的地検索処理部１１は、操作部１２により指定された番組に対応する記憶部７の特定キーワードに基づいて、目的地候補を生成するものとなっている。目的地検索処理部１１で生成された目的地候補は、表示部４において表示される。
【００３１】
次に、以上の構成からなるカーナビゲーション装置の動作について説明する。
【００３２】
図５は、本実施の形態に係るカーナビゲーション装置が、特定キーワードを抽出・記憶する処理を示すフローチャートである。ここでは、前提として、ステップＳ１の前にＴＶがＯＮ、つまり、ＴＶ番組の音声及び映像が出力及び表示されており、視聴されている当該ＴＶ番組から、特定キーワードが抽出されるものとする。なお、ラジオがＯＮしている場合も以下に説明する処理と同様の処理が行われるものとする。
【００３３】
まず、ステップＳ１にて、受信信号に含まれる番組名、つまり、視聴されている番組名を取得する。アナログラジオ放送のように受信信号に番組名が含まれていない場合には、番組名の代わりにユーザが視聴していた時間帯を、カーナビゲーション装置が記憶する。
【００３４】
ステップＳ２にて、音声認識部２１及び画像認識部２２は、視聴されている番組の受信信号を解析し、ステップＳ３にて、それに含まれる言語情報を抽出する。
【００３５】
ステップＳ４にて、認識情報処理部２３は、ステップＳ３で抽出された言語情報が、キーワードデータ部５に記憶された図２に示すようなキーワードと一致する場合に、当該言語情報（キーワード）を番組内キーワードとして抽出する。そして、認識情報処理部２３は、抽出した番組内キーワードが、図２に示すような「中分類」のキーワードと一致しているかを判定する。認識情報処理部２３は、一致していると判定した場合には、当該中分類のキーワードを特定キーワードとして特定し、ステップＳ５にて記憶部７に記憶する。例えば図６のような映像が番組内で放送された場合には、当該映像内の文字テロップの「カフェ」が、図２に示す中分類のキーワードに設定されていることから、「カフェ」が特定キーワードとして特定され、図３に示す「特定キーワード」に記憶される。一方、ステップＳ４にて一致しないと判定された場合には、ステップＳ６に進む。
【００３６】
ステップＳ６にて、認識情報処理部２３は、ステップＳ４で一致しないと判定された番組内キーワードが、中分類以外の階層である「小分類」のキーワードと一致しているかを判定する。認識情報処理部２３は、一致していると判定した場合には、ステップＳ７にて当該キーワードに対応する中分類のキーワードを特定キーワードとして特定し、ステップＳ５にて記憶部７に記憶する。例えば、図７のような音声が番組内で放送された場合には、当該音声内の「アイスクリーム」が、図２に示す小分類のキーワードに設定されていることから、「アイスクリーム」に対応する中分類のキーワードである「お菓子」が特定キーワードとして特定され、図３に示す「特定キーワード」に記憶される。一方、ステップＳ６にて一致しないと判定された場合には、ステップＳ８に進む。
【００３７】
ステップＳ８にて、認識情報処理部２３は、ステップＳ６で一致しないと判定された番組内キーワードが、中分類以外の階層である「施設」のキーワードと一致しているかを判定する。認識情報処理部２３は、一致していると判定した場合には、ステップＳ９にて当該キーワードに対応する中分類のキーワードを特定キーワードとして特定し、ステップＳ５にて記憶部７に記憶する。例えば、図８のような映像が番組内で放送された場合には、当該映像内の看板に記された「カレー店Ｃ１」が、図２に示す施設のキーワードに設定されていることから、「カレー店Ｃ１」に対応する中分類のキーワードである「カレー屋」が特定キーワードとして特定され、図３に示す「特定キーワード」に記憶される。一方、ステップＳ８にて一致しないと判定された場合には、ステップＳ１に戻り、後続の受信信号に対して上述と同様の処理が行われる。
【００３８】
ステップＳ５の後、ステップＳ１０にてＴＶがＯＦＦかを判定し、ＯＦＦであると判定した場合には処理を終了し、ＯＦＦでないと判定した場合にはステップＳ１に戻り、後続の受信信号に対して上述と同様の処理が行われる。
【００３９】
なお、ステップＳ１に戻って行われる再度の処理において、先に特定された特定キーワードが再び特定された場合には、認識情報処理部２３は、その特定キーワードに対応する記憶部７の「特定回数」（図３）の数字を１つ増やす。
【００４０】
図９は、本実施の形態に係るカーナビゲーション装置が、特定キーワードに対応する施設を目的地候補として生成する処理を示すフローチャートである。
【００４１】
まず、ステップＳ２１にて、目的地検索処理部１１は、記憶部７の「特定キーワード」（図３）に、特定キーワードが記憶されているかを判定する。そして、当該判定結果に応じて、ステップＳ２２またはステップＳ３１に進み、目的地の探索方法を指定するための探索方法指定画面を表示部４に表示する。
【００４２】
図１０は、当該探索方法指定画面の一例を示す図である。ここでは、目的地の探索方法の一例として、施設の住所、名称、電話からそれぞれ目的地を探索するモードに移行するための「住所」、「名称」及び「電話」ボタンと、現在地周辺、登録地点、過去に目的地とした地点からそれぞれ目的地を探索するモードに移行するための「周辺」、「登録」及び「履歴」ボタンと、自宅を目的地とする「自宅」ボタンと、「放送」ボタンとが示されている。
【００４３】
「放送」ボタンは、記憶部７の「特定キーワード」に記憶されている特定キーワードに基づいて目的地を探索するモードに移行するためのボタンである。本実施の形態では、ステップＳ２１にて記憶部７に特定キーワードが記憶されていると判定された場合には、ステップＳ２２にて図１０に示すような「放送」ボタンを表示する探索方法指定画面を表示部４に表示し、ステップＳ２３に進む。
【００４４】
一方、ステップＳ２１にて記憶されていないと判定された場合には、ステップＳ３１にて「放送」ボタンを非表示とする探索方法指定画面を表示部４に表示する。その後、例えば、「放送」ボタン以外の探索方法で目的地が決定されて当該目的地への誘導が行われ、処理が終了する。
【００４５】
ステップＳ２３にて、操作部１２が「放送」ボタンの指定を受け付けると、記憶部７の「番組名」（図３）に格納された番組名が表示部４に表示される。図１１の左側に、このときの番組名の表示例を示す。なお、この図に示す例では、現在時刻に近い番組名が、上から順に表示されている。
【００４６】
表示部４に表示されている番組名の中から、操作部１２が番組名の指定を受け付けると、ステップＳ２４にて、目的地検索処理部１１は、当該指定された番組名に対応する特定キーワードを、記憶部７の「特定キーワード」（図３）から取得する。例えば、図３に示されるような情報が記憶部７に記憶されている場合に、操作部１２にて「番組ａ」が指定されると、「カレー屋」〜「公共」、…が取得される。
【００４７】
ステップＳ２５にて、目的地検索処理部１１は、ステップＳ２４で取得した特定キーワードのうち、地図データ部１０の「時間帯」（図４）が指定されて記憶されているキーワードがあるかを判定する。記憶されていないと判定した場合にはステップＳ２６に進み、そうでない場合にはステップＳ２７に進む。
【００４８】
ステップＳ２６にて、ステップＳ２４の特定キーワード（例えば「カレー屋」）に対応する施設のうち、現在地付近の複数の施設（例えば「カレー屋Ｃ３」、「カレー屋Ｃ２」など）が地図データ部１０から取得され、図１１の右側に示されるように、それら施設が表示部４にてリスト形式で表示される。本実施の形態では、原則として、カーナビゲーション装置の現在地からの距離順に施設が表示される。なお、この図において距離の横に示される矢印は、カーナビゲーション装置を基準とした施設の方向（方角）を示す。
【００４９】
ステップＳ２７に進んだ場合には、現在時刻検出部８は現在時刻を検出する。そして、ステップＳ２８にて、目的地検索処理部１１は、地図データ部１０から、現在時刻が属している「時間帯」（図４）を特定し、ステップＳ２４の特定キーワードのうち、当該「時間帯」に対応する「中分類のキーワード」と一致するキーワードを取得する。
【００５０】
そして、同ステップＳ２８にて、目的地検索処理部１１は、当該取得したキーワードに対応する施設が、ステップＳ２８の後に行われるステップＳ２６にて表示部４に優先的に表示されるように、表示する施設の優先順位を変更する。
【００５１】
ここで、ステップＳ２８を経由してステップＳ２６を行う場合の処理の具体例について、図４に示されるような情報が地図データ部１０に記憶され、ステップＳ２４において「番組ａ」に対応する特定キーワードとして「カレー屋」と「カフェ・お菓子」とが取得されていた場合を例にして説明する。この場合において、操作部１２が１１時から１４時までの間に指定操作を受け付けていた場合には、ステップＳ２８にて「カレー屋」が取得され、一方、操作部１２が１４時から１６時までの間に指定操作を受け付けていた場合には、ステップＳ２８にて「カフェ・お菓子」が取得される。
【００５２】
そして、図１１の右側に示されるように、操作部１２が１１時から１４時までの間に操作を受け付けていた場合には、ステップＳ２６にて「カレー屋」の施設（店舗）が上位の候補地として表示部４にて表示され、一方、操作部１２が１４時から１６時までの間に操作を受け付けていた場合には、ステップＳ２６にて「カフェ・お菓子」の施設（店舗）が上位の候補地として表示部４にて表示される。
【００５３】
ステップＳ２６の後、ステップＳ２９にて、表示部４に表示された施設の中から一つの施設が候補地として決定されたか否かを判定する。決定されたと判定した場合にはステップＳ３０に進み、そうでない場合にはステップＳ２８に戻る。
【００５４】
ステップＳ３０にて、現在地から、ステップＳ２９で決定された候補地までのルートを探索し、そのルートに沿った誘導が、音声出力部３の音声や、表示部４の映像を用いて行われる。
【００５５】
以上のような本実施の形態に係るカーナビゲーション装置によれば、現在地付近に存在する番組内キーワードに対応する施設を目的地候補として生成する。したがって、装置が大都市にあるか、地方にあるかにかかわらず、様々な場所において放送された番組から身近な目的地候補を生成することができる。
【００５６】
また、本実施の形態によれば、番組内キーワードに基づいて特定される特定キーワードに基づいて目的地候補を生成する。したがって、番組で紹介された施設（店舗）から遠く離れていても、当該施設と上位階層（業種など）が共通する施設が、目的地候補として生成される。よって、カーナビゲーション装置が地方に位置し、かつ、番組で紹介された施設が大都市に存在する場合であっても、目的地候補が生成される可能性を高めることができる。
【００５７】
また、本実施の形態によれば、操作部１２により指定された番組に対応する記憶部７の特定キーワードに基づいて、目的地候補を生成する。つまり、特定キーワードを記憶するので、視聴している番組の放送終了後において、当該番組から目的地候補を生成することができる。なお、本発明は、番組の放送波の受信とほぼ同時に目的地候補を生成するようにしてもよい。この場合において、視聴している番組の放送終了後に目的地候補を生成する必要がないのであれば、記憶部７は設けられなくてもよい。
【００５８】
また、本実施の形態によれば、目的地検索処理部１１は、操作部１２が所定の操作を受け付けた際の時刻に基づいて、表示部４に表示する施設の優先順位を変更する。したがって、操作した時刻に候補地とされる可能性が高い施設を優先的に紹介することができ、利便性を向上させることができる。
【００５９】
なお、記憶部７における「特定回数」（図３）の値が大きい番組内キーワードに対応する施設が、ステップＳ２８にて表示部４に優先的に表示されるようにしてもよい。つまり、目的地検索処理部１１は、特定キーワードが特定された回数に基づいて、表示部４に表示する施設の優先順位を変更するものであってもよい。この場合には、番組内で放送された内容と関連性の高い施設（店舗）を上位の候補地として表示することができることから、番組を視聴したユーザが候補地に指定する可能性が高い施設を優先的に紹介することができ、利便性を向上させることができる。なお、目的地検索処理部１１は、上述の時刻と当該回数とを組み合わせて当該優先順位を変更してもよい。
【００６０】
また、以上においては、中分類〜施設のキーワードから特定キーワードを特定する場合について説明したが、大分類から特定キーワードを特定・制限するものであってもよい。また、図９に示したステップＳ２７において特定キーワードが複数ある場合には、ステップＳ２７とステップＳ２８との間にて、一つの特定キーワードをユーザに指定させるようにしてもよい。
【００６１】
また、以上の説明においては、カーナビゲーション装置は、ラジオ放送受信部１、ＴＶ放送受信部２を備えるものとしたが、これらは、カーナビゲーション装置に備えられずに、別装置であってもよい。
【００６２】
また、以上の説明においては、本発明に係るナビゲーション装置はカーナビゲーション装置であるとしたが、ユーザを目的地に誘導する装置であればこれに限ったものではなく、例えば携帯電話またはＰＮＤ（Portable Navigation Device）であってもよい。
【符号の説明】
【００６３】
４  表示部、５  キーワードデータ部、６  処理部、７  記憶部、８  現在時刻検出部、１０  地図データ部、１１  目的地検索処理部、１２  操作部、２１  音声認識部、２２  画像認識部、２３  認識情報処理部。
【図１】
2013003087.tif 000003
【図２】
2013003087.tif 000004
【図３】
2013003087.tif 000005
【図４】
2013003087.tif 000006
【図５】
2013003087.tif 000007
【図６】
2013003087.tif 000008
【図７】
2013003087.tif 000009
【図８】
2013003087.tif 000010
【図９】
2013003087.tif 000011
【図１０】
2013003087.tif 000012
【図１１】
2013003087.tif 000013